(57)【要約】【課題】光通信システムにおいて、中継局等で希土類添加光ファイバによる光増幅器や、ラマン散乱による光増幅により増幅を行うと、ＡＳＥ光やＡＳＳ光等の雑音光が信号光に加わる。長距離伝送を行うために、光増幅を繰り返した信号では、雑音光が蓄積し、ＯＳＮＲが低下する。雑音光を除去する方法としてＳＢＳによる散乱光を利用する方法があるが、散乱光の取り出し効率が十分ではなかった。【解決手段】ＳＢＳを発生させる伝送路（１３）と入出力端子（１０、１６）を接続する部分にフィルタ（１２）を接続し、第１ポートより第２ポートへは、入力された光の波長のみを伝え、第２ポートより第３ポートへは、ＳＢＳにより長波長側にシフトした散乱光の波長のみを伝送路（１３）からの戻り光の波長のみを伝える特性とすることにより、出力端子側にＳＢＳによる散乱光のみが出力されるようにする。【選択図】図１
2004325564.tif 000002
【特許請求の範囲】
【請求項１】
複数の異なる波長の光が多重化された光を入力し、前記多重化された光の雑音光成分を除去して出力する雑音光除去装置において、
第１ないし第３のポートを備えた光フィルタと、
前記光フィルタの前記第２のポートより出力された光を入力し、前記入力された光の誘導ブルリアン散乱による散乱光を前記光フィルタの前記第２のポートに出力する光伝送媒体を備え、
入力された光を前記光フィルタの前記第１のポートに入力し、
前記光フィルタの前記第３のポートより出力された光を出力し、
前記光フィルタは、前記第１のポートに入力された光のうち、前記多重化された光の各波長の光を透過し、前記第２のポートに出力し、前記第２のポートに入力された光のうち、前記多重化されたの光の各波長の光の誘導ブルリアン散乱による散乱光の各波長の光を反射し、前記第３のポートに出力することを特徴とする雑音光除去装置。
【請求項２】
請求項１記載の雑音光除去装置であって、
前記入力する光は、周期的に波長が配置された光を多重化した光であり、
前記光フィルタは、透過波長が周期的に存在するサイクリック・フィルタであることを特徴とする雑音光除去装置。
【請求項３】
請求項１または請求項２記載の雑音光除去装置であって、
前記光伝送媒体に励起光を送出する励起光送出部を備え、
前記励起光は、前記誘導ブルリアン散乱による散乱光をラマン増幅により増幅することを特徴とする雑音光除去装置。
【発明の詳細な説明】
【０００１】
【発明の属する技術分野】
【０００２】
【従来の技術】
近年、波長分割多重（ＷＤＭ；Ｗａｖｅｌｅｎｇｔｈ  Ｄｉｖｉｓｉｏｎ  Ｍｕｌｔｉｐｌｅｘｉｎｇ）により伝送容量を増大させた光伝送システムでは、長距離の光伝送を行うために、例えば、エルビウムドープ光ファイバ増幅器（ＥＤＦＡ；Ｅｒ−ｄｏｐｅｄ  ｏｐｔｉｃａｌ  ｆｉｂｅｒ  ａｍｐｌｉｆｉｅｒ）等を用いて構成される光中継器の数を増やしたり、あるいは、ラマン増幅器の導入により中継距離を延ばしたりする手法が用いられている。
【０００３】
上記の光増幅は、伝送による信号光強度の減衰を補うために行われるものであるが、ＥＤＦＡ等による光増幅の際には、自然放出（ＡＳＥ；Ａｍｐｌｉｆｉｅｄ  Ｓｐｏｎｔａｎｅｏｕｓ  Ｅｍｉｓｓｉｏｎ）光が、ラマン増幅器による光増幅の際には、ラマン散乱による自然放出（ＡＳＳ；Ａｍｐｌｉｆｉｅｄ  Ｓｐｏｎｔａｎｅｏｕｓ  Ｓｃａｔｔｅｒｉｎｇ）光がそれぞれ発生し、増幅された信号光に混入して出力される。これらのＡＳＥ光やＡＳＳ光は信号光と無関係の雑音光であり、光増幅の度に信号光に混入し蓄積される。したがって、光中継器等による光増幅を繰り返すと、雑音光も蓄積され、光ＳＮ比（ＯＳＮＲ；Ｏｐｔｉｃａｌ  Ｓｉｇｎａｌ−Ｎｏｉｓｅ  Ｒａｔｉｏ）が劣化する。ＯＳＮＲの劣化は、光受信器における信号光の識別特性劣化、すなわち伝送される信号品質の劣化へとつながるので、雑音光の蓄積は、光中継器の多段中継による伝送距離の長距離化を制約する要因となっている。
【０００４】
上記のＡＳＥ光やＡＳＳ光によるＯＳＮＲの劣化への対処方法として、所要の中継回数ごとに、ＷＤＭ信号光を各チャンネルの光信号に多重分離した後、再度合波して多重化し送信する手法や、ＷＤＭ信号光を多重分離した後、電気信号に変換し、再度変調を行った信号光を生成し送信する手法がある。これらの手法により雑音光成分を除去することができるが、例えば、ＷＤＭ信号光のチャンネルごとの強度差を調整するための光可変減衰器が必要となる等の複雑な装置構成となるので、光伝送システムを長距離化する際の、大きなコスト上昇要因となる。
【０００５】
また、ＡＳＥ光やＡＳＳ光によるＯＳＮＲの劣化への別の対処方法として、誘導ブルリアン散乱（ＳＢＳ；Ｓｔｉｍｕｌａｔｅｄ  Ｂｒｉｌｌｏｕｉｎ  Ｓｃａｔｔｅｒｉｎｇ）を利用し、ＷＤＭ信号光より雑音光成分を直接除去する手法が知られている（例えば特許文献１）。
【０００６】
図５は、この従来技術による雑音光除去装置を示したものである。図５に示される雑音光除去装置３は、入力端子１０と出力端子１６との間に、光アイソレータ１１、光カプラ（ＣＰＬ）１７、ダミー伝送路１３、無反射終端（ＴＥＲＭ）１８、光増幅器（ＡＭＰ）１９を備えて構成される。
【０００７】
光カプラ１７は３つのポートを有し、図５で左側に位置する第１ポートＰ１に光アイソレータ１１が接続され、図５で右側に位置する第２ポートＰ２にダミー伝送路１３が接続され、図５で左下側に位置する第３ポートＰ３に光増幅器１９が接続されており、光アイソレータ１１から第１ポートＰ１を介して入力される光を第２ポートＰ２を通ってダミー伝送路１３に伝達すると共に、ダミー伝送路１３からの戻り光を第２ポートＰ２を介して入力して２分岐し、第１ポートＰ１および第３ポートＰ３からそれぞれ出力する。
【０００８】
ダミー伝送路１３は、入力光のパワーが所定の閾値を超えると非線形光学現象の一種であるＳＢＳを発生する光伝送路であり、ＳＢＳによる散乱光は戻り光として光カプラ１７の第２ポートＰ２へ出力される。
【０００９】
無反射終端器１８は、ダミー伝送路１３の光カプラ１７が接続された一方の端部は異なる他方の端部に接続され、ダミー伝送路１３の通過光を吸収して終端する。
【００１０】
光増幅器１９は、光カプラ１７の第３ポートＰ３から出力される光、すなわちダミー伝送路１３におけるＳＢＳによる戻り光の一部、を入力し、増幅して出力端子１６に出力する。
【００１１】
光中継器１から雑音光除去装置３の入力端子１１に与えらたＷＤＭ信号光は、光アイソレータ１１および光カプラ１７を順に通過してダミー伝送路１３の一端に入力される。ダミー伝送路１３では、入力光のうち、所定の閾値を超える光強度を持つ成分について、ＳＢＳによる戻り光が発生し、光カプラ１７に再入力される。一方、ダミー伝送路１３への入力光のうち、入力光のうち、所定の閾値以下の光強度を持つ成分は、ダミー伝送路１３を伝搬し、無反射終端１８により吸収される。
【００１２】
光アイソレータ１１および光カプラ１７を順に通過してダミー伝送路１３の一端に入力された光には、ＷＤＭ信号光およびＡＳＥ光やＡＳＳ光等による雑音光が含まれる。この入力光のうち、信号波長の成分はＳＢＳ発生の閾値を越える光強度を持つので、ＳＢＳによる戻り光が発生し、戻り光として光カプラに再入力される。一方、入力光のうち、信号波長以外の成分、すなわち、ＡＳＥ光やＡＳＳ光等による雑音光成分の光強度は、ＳＢＳ発生の閾値以下であるので、戻り光とはならずダミー伝送路１３を伝搬し、無反射終端１８により吸収される。
【００１３】
したがって、ダミー伝送路１３からの戻り光には信号波長の成分のみが含まれるので、第２ポートＰ２に入力された戻り光を光カプラ１７により２分岐した、第１ポートＰ１および第３ポートＰ３からの出力には、信号波長の成分のみが含まれる。光カプラ１７の第１ポートＰ１より出力される戻り光は、光アイソレータ１１により阻止されるので、光中継器１の動作に影響を及ぼすことはない。光カプラ１７の第３ポートＰ３より出力された光は、光増幅器１９により増幅され出力端子１６に出力される。
【００１４】
上記のように、光中継器１より入力端子１０を通じて入力されたＷＤＭ信号光は、雑音光除去装置３により信号波長の成分のみが出力端子１６より出力される。
【００１５】
【特許文献１】
特開平７−１９９２４４号公報
【００１６】
【発明が解決しようとする課題】
しかしながら、上述のような、ＳＢＳを利用した従来の雑音光除去手法では、ＳＢＳを発生させる伝送路からの戻り光は、雑音光除去装置の出力端子に向かうポートだけでなく、ＷＤＭ信号光を入力するポートにも出力される。このため、雑音光除去装置の出力端子に向かうポートへの出力は、例えば３ｄＢカプラを用いた場合、３．５ｄＢ程度減衰してしまう。
【００１７】
それに加え、ダミー伝送路にてＳＢＳを発生させるためには３ｄＢカプラの透過損失（約３．５ｄＢ）を考慮し、ＳＢＳ発生しきい値となるよう、入力する光パワーもその分大きくせざるを得ない。
【００１８】
また、図５に示される雑音光除去装置では、光カプラ１７のポート２に入力された戻り光の一部は、ポート１より出力されるので、光アイソレータ１１により戻り光の伝搬を阻止する必要がある。光カプラ１７のポート１より出力される戻り光の強度が強くなるほど、光アイソレータ１１に要求されるリジェクション特性は高くなり、これに伴い、光アイソレータ１１の順方向の挿入損失が大きくなってしまう。
【００１９】
また、光カプラ１７は、ポート２に入力された戻り光をポート１およびポート３に出力するので、戻り光に元のＷＤＭ信号光が含まれている場合、例えば、無反射終端１８の終端が完全でない場合、ＳＢＳによる戻り光だけでなく、元のＷＤＭ信号光が光カプラのポート３より出力されることとなる。ＳＢＳによる戻り光は、元の光の波長よりも０．０９ｎｍ長波長側にシフトしたものであるので、元のＷＤＭ信号光が戻り光に含まれている場合は、出力光信号の劣化につながる。
【００２０】
【課題を解決するための手段】
本発明は、上記課題を解決するものであり、第１の発明による雑音光除去装置は、複数の異なる波長の光が多重化された光を入力し、前記多重化された光の雑音光成分を除去して出力する雑音光除去装置において、第１ないし第３のポートを備えた光フィルタと、前記光フィルタの前記第２のポートより出力された光を入力し、前記入力された光の誘導ブルリアン散乱による散乱光を前記光フィルタの前記第２のポートに出力する光伝送媒体を備え、入力された光を前記光フィルタの前記第１のポートに入力し、前記光フィルタの前記第３のポートより出力された光を出力し、前記光フィルタは、前記第１のポートに入力された光のうち、前記多重化された光の各波長の光を透過し、前記第２のポートに出力し、前記第２のポートに入力された光のうち、前記多重化されたの光の各波長の光の誘導ブルリアン散乱による散乱光の各波長の光を反射し、前記第３のポートに出力することを特徴とする。
【００２１】
上記のような雑音光除去装置によれば、多重化された光の各波長の光は、光フィルタの第１ポートに入力され、透過し、第２のポートより光伝送媒体に出力されるが、誘導ブルリアン散乱の閾値を超えた成分の光のみが散乱光として前記光フィルタの第２のポートに出力され、各波長の光と同じ波長の雑音光成分は誘導ブルリアン散乱の閾値を越えず、散乱光が発生しないので、多重化された光の各波長の光のみが誘導ブルリアン散乱により散乱光として第２のポートに出力される。
【００２２】
このとき、第２のポートに入力する誘導ブルリアン散乱による散乱光は、前記光フィルタにより反射され第３のポートに出力されるので、第１のポートには誘導ブルリアン散乱による散乱光は出力されない。また、第１のポートより第２のポートに透過・出力された各波長の光が第２のポートに反射等により戻った場合、第１のポートへ透過・出力されるので、第３のポートの出力には含まれない。
【００２３】
これにより、光伝送媒体により散乱された散乱光は、光フィルタの第３のポートのみに出力され、また、誘導ブリリュアン散乱による戻り光が第２のポートに入力してから、第３のポートに出力されるまでの損失は１ｄＢ程度と小さく、効率良く雑音光除去を行うことができる。
【００２４】
また、第３のポートに反射・出力される光は、光伝送媒体のブルリアン散乱による散乱光の波長の光のみであるので、光フィルタの第２のポートに入力される光が、必ずしも散乱光のみである必要はなく、光伝送媒体を無反射終端する処理を省くか、簡易化することができる。
【００２５】
第２の発明による雑音光除去装置は、請求項１記載の雑音光除去装置であって、前記入力する光は、周期的に波長が配置された光を多重化した光であり、前記光フィルタは、透過波長が周期的に存在するサイクリック・フィルタであることを特徴とする。
【００２６】
入力されるＷＤＭ信号光の波長が等間隔に配置され、周期的である場合、フィルタに要求される特性も波長に対して周期的となり、サイクリック・フィルタを用いて雑音光除去装置を簡易に構成することができる。
【００２７】
第３の発明による雑音光除去装置は、請求項１または請求項２記載の雑音光除去装置であって、前記光伝送媒体に励起光を送出する励起光送出部を備え、前記励起光は、前記誘導ブルリアン散乱による散乱光をラマン増幅により増幅することを特徴とする。
【００２８】
第３のポートに反射・出力される光は、光伝送媒体のブルリアン散乱による散乱光の波長の光のみであるので、光フィルタの第２のポートに入力される光に散乱光波長以外の光が含まれていてもよい。第３の発明では、戻り光に対してラマン増幅を行うような波長の励起光を光伝送媒体に送出することにより、出力される光に影響を与えることなく、増幅を行うことができる。
【００２９】
【実施例】
以下、本発明の実施の形態を図面に基づいて説明する。図１は、本発明による誘導ブルリアン散乱（ＳＢＳ；Ｓｔｉｍｕｌａｔｅｄ  Ｂｒｉｌｌｏｕｉｎ  Ｓｃａｔｔｅｒｉｎｇ）を利用した雑音光除去装置の第１の実施例を示した図である。なお、上述した従来の雑音光除去装置の構成と同様の部分には同一の符号を付している。
【００３０】
図１において、本発明による雑音光除去装置２は、光中継器１からの出力を入力し、雑音光を除去して出力するものであり、入力端子１０と出力端子１６との間に、光アイソレータ１１、光フィルタ１２、ダミー伝送路１３、レベル調整部１５を備える。
【００３１】
光アイソレータ１１は、入力端子１０と光フィルタ１２の間に配置され、入力端子１０から光フィルタ１２に進む光は通過させ、光フィルタ１２から入力端子１０に進む光は阻止する一般的な光部品である。
【００３２】
光フィルタ１２は、ここでは例えば３つのポートを有し、図１で左側に位置する第１ポートＰ１に光アイソレータ１１が接続され、図１で右上側に位置する第２ポートＰ２にダミー伝送路１３が接続され、図１で右下側に位置する第３ポートＰ３にレベル調整部１５が接続される。
【００３３】
図２に示されるように、光フィルタ１２の第１ポートＰ１に入力された光は、サイクリック・フィルタ２１を透過し、第２ポートＰ２に出力される。また、光フィルタ１２の第２ポートＰ２に入力されたダミー伝送路１３からの戻り光のうち、サイクリック・フィルタ２１を反射したものは、第３ポートＰ３に出力される。サイクリック・フィルタ２１の特性と、光フィルタ１２の第１〜第３ポートにおける光の入出力については後述するが、サイクリック・フィルタとしては、誘電多層膜フィルタ等を用いることができる。
【００３４】
ダミー伝送路１３において、一定の波長帯域（ブルリアン帯域）にある入力光の強度が所要の閾値を超えると、非線形光学現象の一種であるＳＢＳが発生する。ＳＢＳによる散乱光は、入力光と進行方向が逆方向の戻り光として生じるので、光フィルタ１２の第２ポートＰ２より入力された光によりダミー伝送路１３で発生したＳＢＳでは、戻り光は再び光フィルタ１２の第２ポートＰ２に出力される。
【００３５】
したがって、光フィルタ１２の第２ポートＰ２よりダミー伝送路１３に出力されたＷＤＭ信号光のうち、ブルリアン帯域内の光強度が閾値を超えるような光の成分では、ＳＢＳによる戻り光が発生し、光フィルタ１２の第２ポートＰ２に出力される。また、ブルリアン帯域内の光強度が閾値を超えるような光の成分では、ＳＢＳは生じず、ダミー伝送路１３の他方の端部に向けて伝搬し、伝送路端部１４に達する。
【００３６】
光伝送媒体として光ファイバを用いた場合、光ファイバの実効断面積の大きさにより、光パワー密度が変化するため、非線形光学現象であるＳＢＳの閾値も変化する。ダミー伝送路１３としては、通常の単一モードファイバ（ＳＳＭＦ；Ｓｔａｎｄａｒｄ  ｓｉｎｇｌｅ−ｍｏｄｅ  ｏｐｔｉｃａｌ  Ｆｉｂｅｒ）、ノンゼロ分散シフトファイバ（ＮＺＤＳＦ：Ｎｏｎ−Ｚｅｒｏ  Ｄｉｓｐｅｒｓｉｏｎ  Ｓｈｉｆｔｅｄ  ｓｉｎｇｌｅ−ｍｏｄｅ  ｏｐｔｉｃａｌ  Ｆｉｂｅｒ）、分散シフトファイバ（ＤＳＦ：Ｄｉｓｐｅｒｓｉｏｎ  Ｓｈｉｆｔｅｄ  ｓｉｎｇｌｅ−ｍｏｄｅ  ｏｐｔｉｃａｌ  Ｆｉｂｅｒ）、分散補償ファイバ（ＤＣＦ；Ｄｉｓｐｅｒｓｉｏｎ  Ｃｏｍｐｅｎｓａｔｅｄ  ｓｉｎｇｌｅ−ｍｏｄｅ  ｏｐｔｉｃａｌ  Ｆｉｂｅｒ）等を使用することができる。実効断面積の小さいファイバほどエネルギー密度が大きくなるので、ＳＢＳが発生する閾値が低くなる。すなわち、ＳＢＳが発生する閾値の大きさは、ＤＣＦ＜ＤＳＦ＜ＮＺＤＳＦ＜ＳＳＭＦの順となる。
【００３７】
なお、ここではダミー伝送路１３として所要の長さの光ファイバ伝送路を使用するようにしたが、本発明におけるＳＢＳ発生媒体は上記のような光ファイバを使用した伝送路に限られるものではなく、所要の長さに設計された光導波路を用いてもよい。また、ＳＢＳ発生媒体の形態は、光ファイバや光導波路等を用いたの伝送路に限定されるものではなく、入力光のＳＢＳによる戻り光を有効に得ることができる任意の形態とすることも可能である。
【００３８】
伝送路端部１４は、ダミー伝送路１３の光フィルタ１２の第２ポートＰ２が接続された端部とは異なる、もう一方の端部であり、ダミー伝送路１３を通過した光が達する部位である。本発明による雑音光除去装置では、ＷＤＭ信号光の各波長の光を透過し、ＷＤＭ信号光のＳＢＳ散乱光の各波長の光を反射する光フィルタ１２を備えるので、伝送路端部１４は必ずしも無反射終端とする必要はない。伝送路端部１４としては、無反射終端とする他に、例えば、ファイバ端面に無反射コートを施すような、簡易な構成によりコストを削減することもできる。
【００３９】
レベル調整部１５は、光フィルタ１２の第３ポートＰ３から出力される光、すなわち、ダミー伝送路１３におけるＳＢＳによる戻り光が光フィルタ１２のサイクリック・フィルタ２１により反射された光を、増幅または減衰することにより所要のパワーレベルに調整したＷＤＭ信号光として出力端子１６に出力する。
【００４０】
次に、第１の実施例による雑音光除去装置の動作について説明する。図１において、中継器１より出力されるＷＤＭ信号光は、例えば、０．８ｎｍの波長間隔で波長多重されており、信号光の他に蓄積したＡＳＥ光やＡＳＳ光が含まれる。中継器１より出力された光は、雑音光除去装置２の入力端子１０より入力され、アイソレータ１１を通じて光フィルタ１２の第１ポートＰ１に入力される。
【００４１】
図２は、光フィルタ１２の構成を示したものであり、第１ポートＰ１に入力された光は、サイクリック・フィルタ２１を透過し、第２ポートＰ２に出力される。サイクリック・フィルタ２１の透過特性は、図３（ｃ）に示される特性となっており、０．８ｎｍの波長間隔で波長多重されている信号光のみを透過するように定められている。これにより、雑音光除去装置２に入力されたＷＤＭ信号光に含まれるＡＳＳ光やＡＳＥ光等の雑音光のうち、信号光波長以外の波長の光はサイクリック・フィルタ２１を透過せず、光フィルタ１２のポート２より出力される光の強度は図３（ａ）に示されるものとなる。
【００４２】
光フィルタ１２のポート２より出力された光には、多重化された各波長の信号光と、信号光と同じ波長のＡＳＳ光やＡＳＥ光等の雑音光が含まれる。上述したように、光フィルタ１２の第２ポートＰ２よりダミー伝送路１３に出力されたＷＤＭ信号光のうち、ブルリアン帯域内の光強度が閾値を超えるような光の成分では、ＳＢＳによる戻り光が発生する。中継器１の出力光強度、光アイソレータ１１、光フィルタ１２等の挿入損失、ダミー伝送路１３の閾値等を設計し、ダミー伝送路１３において、信号光によりＳＢＳが起こる一方、ＡＳＳ光やＡＳＥ光等の雑音光ではＳＢＳが起こらないようにすることができる。ＳＢＳによる戻り光の強度は、信号光のビットレートによっても変化するが、ビットレートが数Ｇｂｐｓの場合、多重化された信号光の１チャンネルあたり−２０〜−２５  ｄＢｍの強度の戻り光が生じる。これにより、信号光によってのみＳＢＳの戻り光が生じ、光フィルタ１２の第２ポートＰ２に出力される。
【００４３】
図３（ｂ）は、ダミー伝送路１３より光フィルタ１２の第２ポートＰ２に出力される戻り光の強度を示したものである。ＷＤＭ通信において使用されている１５５０ｎｍ付近の信号光波長では、ＳＢＳによる散乱光の波長は、ＳＢＳの励起光の波長より長波長側に０．０９ｎｍシフトするので、図３（ｂ）に示される光フィルタ１２の第２ポートＰ２に入力される戻り光の波長は、図３（ａ）に示される光フィルタ１２の第２ポートＰ２より出力される光の波長より、０．０９ｎｍ長波長側にシフトしたものとなる。
【００４４】
図２に示されるように、フィルタ１２の第２ポートＰ２に入力した光のうち、サイクリック・フィルタ２１により反射された光が第３ポートＰ３に出力される。サイクリック・フィルタ２１の反射特性は図３（ｃ）右軸に示されるものであり、光フィルタ１２の第２ポートＰ２に入力される戻り光は、図３（ｂ）に示されるように、透過率のピークから０．０９ｎｍ長波長側にシフトしているので、フィルタ１２の第２ポートＰ２に入力したＳＢＳによる戻り光は、サイクリック・フィルタ２１により反射され、フィルタ１２の第３ポートＰ３より出力される。
【００４５】
すなわち、サイクリック・フィルタ２１の透過・反射特性を、中継器１より出力されたＷＤＭ信号光の各信号波長が透過し、ダミー伝送路３によるＳＢＳで長波長側にシフトした戻り光が反射するような特性とすることにより、フィルタ１２の第１ポートＰ１より入力されたＷＤＭ信号光を第２ポートＰ２に出力し、第２ポートＰ２より入力された戻り光を第３ポートＰ３に出力している
これにより、ダミー伝送路３からのＳＢＳによる戻り光は第１ポートＰ１には出力されない。また、ＷＤＭ信号光の各信号波長の光が反射等によりダミー伝送路３よりフィルタ１２の第２ポートＰ２に入力された場合、図３（ｃ）に示されるように、反射はされず、フィルタ１２の第３ポートＰ３より出力されない。
【００４６】
フィルタ１２の第３ポートＰ３より出力された光は、レベル調整部１５により増幅または減衰され、所要のパワーレベルに調整したＷＤＭ信号光として出力端子１６に出力される。
【００４７】
これにより、光中継器１より入力されたＷＤＭ信号光に含まれるＡＳＥ光やＡＳＳ光等の雑音光は、雑音光除去装置２により除去され、信号光のみが出力端子１６より出力される。
【００４８】
図４は、本発明による誘導ブルリアン散乱を利用した雑音光除去装置の第２の実施例を示した図である。図４に示される第２の実施例による雑音光除去装置の構成は、図１に示される第１の実施例による雑音光除去装置と同じく、光中継器１からの出力を入力し、雑音光を除去して出力するものであり、入力端子１０と出力端子１６との間に、光アイソレータ１１、光フィルタ１２、ダミー伝送路１３、レーザダイオード２０、レベル調整部１５を備える。光アイソレータ１１、光フィルタ１２、ダミー伝送路１３、レベル調整部１５は、第１の実施例におけるものと同様である。
【００４９】
第２の実施例は、ダミー伝送路１３の光フィルタと接続された一端と逆側にレーザダイオードを接続し、励起光を送出することにより、ＳＢＳによる戻り光を増幅するものである。
【００５０】
図４において、中継器１より出力されるＷＤＭ信号光は、例えば、０．８ｎｍの波長間隔で波長多重されており、信号光の他に蓄積したＡＳＥ光やＡＳＳ光が含まれる。中継器１より出力された光は、雑音光除去装置２の入力端子１０より入力され、アイソレータ１１を通じて光フィルタ１２の第１ポートＰ１に入力される。
【００５１】
光フィルタ１２およびサイクリック・フィルタ２１の特性は、第１の実施例と同様であり、第１ポートＰ１に入力された光は、サイクリック・フィルタ２１を透過し、第２ポートＰ２に出力される。サイクリック・フィルタ２１の透過特性は、図３（ｃ）に示される特性であり、雑音光除去装置２に入力されたＷＤＭ信号光に含まれるＡＳＳ光やＡＳＥ光等の雑音光のうち、信号光波長以外の波長の光はサイクリック・フィルタ２１を透過せず、光フィルタ１２のポート２より出力される光の強度は図３（ａ）に示されるものとなる。
【００５２】
光フィルタ１２のポート２より出力され、ダミー導波路１３に入力され光のうち、ＷＤＭ信号光に含まれる信号光によりＳＢＳが起こり、戻り光が発生する。ＳＢＳによる戻り光は、ダミー伝送路１３を光フィルタ１２の第２ポートＰ２の方向に進むが、レーザダイオード２０より出力された励起光により後方励起をされ、ラマン増幅により光強度が増加する。これにより、ビットレートが数Ｇｂｐｓの場合、多重化された信号光の１チャンネルあたり−２０〜−２５  ｄＢｍの強度である戻り光は、ラマン増幅により１０ｄＢ程度、光強度が増加する。
【００５３】
フィルタ１２の第２ポートＰ２に入力したＳＢＳによる戻り光は、サイクリック・フィルタ２１により反射され、フィルタ１２の第３ポートＰ３より出力される。レーザダイオード２０より出力された励起光が反射しないように、サイクリック・フィルタの特性を定めることにより、フィルタ１２の第３ポートＰ３からの出力には、ＳＢＳによる戻り光がラマン増幅されたものだけが出力される。
【００５４】
フィルタ１２の第３ポートＰ３からの出力された光は、レベル調整部１５により増幅または減衰され、所要のパワーレベルに調整したＷＤＭ信号光として出力端子１６に出力される。
【００５５】
これにより、光中継器１より入力されたＷＤＭ信号光に含まれるＡＳＥ光やＡＳＳ光等の雑音光は、雑音光除去装置２により除去され、信号光のみが出力端子１６より出力される。
【００５６】
第２の実施例においても、サイクリック・フィルタ２１の透過・反射特性を、中継器１より出力されたＷＤＭ信号光の各信号波長が透過し、ダミー伝送路３によるＳＢＳで長波長側にシフトした戻り光が反射するような特性とすることにより、フィルタ１２の第１ポートＰ１より入力されたＷＤＭ信号光を第２ポートＰ２に出力し、第２ポートＰ２より入力された戻り光を第３ポートＰ３に出力している。また、ダミー伝送路３において、レーザダイオード２０より出力された励起光によりラマン増幅を行うので、フィルタ１２の第２ポートＰ２に入力する戻り光の強度を強くすることができる。
【００５７】
【発明の効果】
以上述べたように、本発明による雑音光除去装置によれば、入出力端子とダミー伝送路との接続に光フィルタを用いることにより、ダミー伝送路で生じたＳＢＳによる戻り光を効率良く出力端子側にのみに出力させることができ、ＳＢＳによる戻り光も入力端子側に出力されないので、アイソレータ等の入力端子側伝送路に設けられる光部品の逆方向に対する阻止能力が高いものでなくてもよく、挿入損失の低い、低コストの部品を用いることができる。
【００５８】
また、ダミー伝送路で生じたＳＢＳによる戻り光が出力端子側にのみ出力され、その他の波長の光は出力されないので、ダミー伝送路からのＳＢＳによるもの以外の戻り光を防止する、無反射終端等の構成を設けなくてもよい。
【００５９】
また、レーザダイオード等を接続し、励起光を送出することで、戻り光を増幅することもできる。この場合、励起光はフィルタにより出力端子側に出力されないので、雑音光除去装置の出力には雑音光を除去されたＷＤＭ信号光が出力される。
【図面の簡単な説明】
【図１】本発明の第１実施例による雑音光除去装置
【図２】本発明による雑音光除去装置に用いられるフィルタを示す図
【図３】本発明に用いられるフィルタへの入出力強度と、反射・透過特性を示す図
【図４】本発明の第２実施例による雑音光除去装置
【図５】従来の技術による雑音光除去装置
【符号の説明】
１    光中継器
２    本発明による雑音光除去装置
３    従来の技術による雑音光除去装置
１０    入力端子
１１    光アイソレータ
１２    フィルタ
１３    ダミー伝送路
１４    光伝送路痰部
１５    レベル調整部
１６    出力端子
１７    光カプラ
１８    無反射終端
１９    光増幅器
２０    レーザダイオード
２１    サイクリック・フィルタ
【図１】
2004325564.tif 000003
【図２】
2004325564.tif 000004
【図３】
2004325564.tif 000005
【図４】
2004325564.tif 000006
【図５】
2004325564.tif 000007